(57)【要約】      （修正有）【課題】放熱効率に優れ、ＬＥＤの光をテーブル、机等の所定領域に集光して照射し、照明器具の光源として好適な光源モジュールを提供する。【解決手段】ＬＥＤ１０と、ＬＥＤの発光を集光するレンズ２０と、ＬＥＤを保持するＬＥＤ保持手段３０と、レンズを保持するレンズ保持手段を有している。レンズは、棒状のアクリルレンズにより形成される。レンズ保持手段は、レンズを挟持する一対のレンズ収容メンバ５１，５２を備えている。ＬＥＤ保持手段は、各レンズ収容メンバを連結する放熱体３１を有し、放熱体の表面に放熱フィン３１Ａを形成し、内面にＬＥＤを固定し、ＬＥＤの光を前記レンズにより集光して照光する。【選択図】図４
0003142332.tif 000002
【実用新案登録請求の範囲】
【請求項１】
ＬＥＤ１０と、該ＬＥＤの発光を集光するレンズ２０と、前記ＬＥＤを保持するＬＥＤ保持手段３０と、前記レンズを保持するレンズ保持手段５０を有し、
前記レンズは、棒状のアクリルレンズにより形成され、
前記レンズ保持手段は、前記レンズを挟持する一対のレンズ収容メンバ５１，５２を備え、
前記ＬＥＤ保持手段は、前記各レンズ収容メンバを連結する放熱体３１を有し、該放熱体の表面に放熱フィン３１Ａを形成し、内面に前記ＬＥＤを固定し、
前記ＬＥＤの光を前記レンズにより集光して照光することを特徴とする光源モジュール。
【請求項２】
ＬＥＤ１０と、該ＬＥＤの発光を集光するレンズ２０と、前記ＬＥＤを保持するＬＥＤ保持手段３０と、該レンズを保持するレンズ保持手段５０を有し、
前記レンズは、棒状のアクリルレンズにより形成され、
前記レンズ保持手段は、前記レンズを保持する取付けステイ８０と、該取付けステイを挟持する一対のレンズ収容メンバ５１，５２を備え、
前記ＬＥＤ保持手段は、前記各レンズ収容メンバを連結する放熱体３１を有し、該放熱体の表面に放熱フィン３１Ａを形成し、内面に前記ＬＥＤを固定し、
前記ＬＥＤの光を前記レンズにより集光して照光することを特徴とする光源モジュール。
【請求項３】
ＬＥＤ１０と、該ＬＥＤの発光を集光するレンズ２０と、前記ＬＥＤを保持するＬＥＤ保持手段１３０と、該レンズを保持するレンズ保持手段５０を有し、
前記レンズは、棒状のアクリルレンズにより形成され、
前記レンズ保持手段は、前記レンズを挟持する一対のレンズ収容メンバ５１，５２を備え、
前記ＬＥＤ保持手段は、前記各レンズ収容メンバを連結する放熱体１３１を有し、該放熱体の表面に放熱フィン１３１Ａを形成し、内面に前記ＬＥＤを配設し、移動案内用パイプが挿通するくり抜き部１３７を形成し、該くり抜き部に移動案内用パイプ１５０を挿通した状態で前記放熱体を移動案内用パイプに止着する止着手段１４０を備え、
移動案内用パイプを挿通した状態で前記止着手段の止着を緩めて移動案内用パイプに沿って位置の移動を可能とするとともに、移動案内用パイプを回動軸として回動可能とし、移動並びに回動した位置で前記止着手段による止着を行なうことにより選択した位置・方向に前記ＬＥＤの発光を前記レンズを通して集光して照光することを特徴とする光源モジュール。
【考案の詳細な説明】
【技術分野】
【０００１】  本考案は、ＬＥＤを光源とする光源モジュールに関するものである。
【背景技術】
【０００２】  ＬＥＤを光源とし照明に使用するＬＥＤランプが提案されている。【０００３】
【特許文献１】  特開２００８−２７９１０号公報
【０００４】  しかしながら、ＬＥＤを照明に使用する場合には放熱熱効率が不良であるという問題点を有している。
【考案の開示】
【考案が解決しようとする課題】
【０００５】  従って本考案の目的は、放熱効率に優れ、ＬＥＤの光をテーブル、机等の所定領域に集光して照射し、照明器具の光源として好適な光源モジュールを提供することにある。【０００６】  本考案の他の目的は、光源を小さくできるとともに、長寿命で省エネタイプの光源モジュールを提供することにある。
【課題を解決するための手段】
【０００７】  上記課題を解決するため本考案によれば、ＬＥＤと、該ＬＥＤの発光を集光するレンズと、前記ＬＥＤを保持するＬＥＤ保持手段と、前記レンズを保持するレンズ保持手段を有し、前記レンズは、棒状のアクリルレンズにより形成され、前記レンズ保持手段は、前記レンズを挟持する一対のレンズ収容メンバを備え、前記ＬＥＤ保持手段は、前記各レンズ収容メンバを連結する放熱体を有し、該放熱体の表面に放熱フィンを形成し、内面に前記ＬＥＤを固定し、前記ＬＥＤの光を前記レンズにより集光して照光することを特徴とする光源モジュールが提供される。【０００８】  また、本考案によれば、ＬＥＤと、該ＬＥＤの発光を集光するレンズと、前記ＬＥＤを保持するＬＥＤ保持手段と、該レンズを保持するレンズ保持手段を有し、前記レンズは、棒状のアクリルレンズにより形成され、前記レンズ保持手段は、前記レンズを保持する取付けステイと、該取付けステイを挟持する一対のレンズ収容メンバを備え、前記ＬＥＤ保持手段は、前記各レンズ収容メンバを連結する放熱体を有し、該放熱体の表面に放熱フィンを形成し、内面に前記ＬＥＤを固定し、前記ＬＥＤの光を前記レンズにより集光して照光することを特徴とする光源モジュールが提供される。【０００９】  さらに、本考案によれば、ＬＥＤと、該ＬＥＤの発光を集光するレンズと、前記ＬＥＤを保持するＬＥＤ保持手段と、該レンズを保持するレンズ保持手段を有し、前記レンズは、棒状のアクリルレンズにより形成され、前記レンズ保持手段は、前記レンズを挟持する一対のレンズ収容メンバを備え、前記ＬＥＤ保持手段は、前記各レンズ収容メンバを連結する放熱体を有し、該放熱体の表面に放熱フィンを形成し、内面に前記ＬＥＤを配設し、移動案内用パイプが挿通するくり抜き部を形成し、該くり抜き部に移動案内用パイプを挿通した状態で前記放熱体を移動案内用パイプに止着する止着手段を備え、移動案内用パイプを挿通した状態で前記止着手段の止着を緩めて移動案内用パイプに沿って位置の移動を可能とするとともに、移動案内用パイプを回動軸として回動可能とし、移動並びに回動した位置で前記止着手段による止着を行なうことにより選択した位置・方向に前記ＬＥＤの発光を前記レンズを通して集光して照光することを特徴とする光源モジュールが提供される。
【考案の効果】
【００１０】  以上のような本考案によれば、次の効果を奏する。
（１）放熱効率に優れ、ＬＥＤの光をテーブル、机等の所定領域に集光して照射し、照      明器具の光源として好適な光源モジュールが得られる。
（２）光源を小さくできるとともに、長寿命で省エネタイプの光源モジュールが得られ      る。
【考案を実施するための最良の形態】
【００１１】  光源モジュールは、ＬＥＤと、ＬＥＤの発光を集光するレンズと、ＬＥＤを保持するＬＥＤ保持手段と、レンズを保持するレンズ保持手段を有している。レンズは、棒状のアクリルレンズにより形成され、レンズ保持手段は、レンズを挟持する一対のレンズ収容メンバを備え、ＬＥＤ保持手段は、各レンズ収容メンバを連結する放熱体を備え、放熱体の表面に放熱フィンが形成され、内面にＬＥＤを固定し、ＬＥＤの光をレンズにより集光して照光する。
【実施例】
【００１２】  （実施例１）
図１乃至図４に光源モジュールの第１の実施例を示す。
図１は、本考案に係る光源モジュールの第１の実施例を示す斜視図、
図２は、光源モジュールの側面図、
図３は、光源モジュールの左側面図、
図４は、光源モジュールの構成部品を分離した状態を示す斜視図である。【００１３】  これらの図において、光源モジュール１は、ＬＥＤ１０と、該ＬＥＤが発する光を集光するレンズ２０と、前記ＬＥＤを保持するＬＥＤ保持手段３０と、前記レンズを保持するレンズ保持手段５０を備えている。符号１１はＬＥＤの電源コードである。【００１４】  前記レンズ２０は、断面円形の棒状のアクリルレンズにより形成されている。【００１５】  前記レンズ保持手段５０は、前記レンズ２０を挟持する一対のレンズ収容メンバ５１，５２を備え、該レンズ収容メンバの内面中央には前記レンズ２０の一部が当接する当接部５３，５４が曲面として形成され、前記レンズ収容メンバ５１，５２の内面上部には、前記ＬＥＤ保持手段３０を載置する肩部５５，５６が形成されている（図４参照）。また、前記レンズ収容メンバ５１，５２の左右上部には、前記ＬＥＤ保持手段３０の側面に形成された取付け孔３２，３３に螺合する取付けボルト５９，６０が挿通する挿通孔５７，５８が形成されている。前記取付けボルト５９，６０を前記挿通孔５７，５８に挿通させ前記ＬＥＤ保持手段３０の前記取付け孔３２，３３に螺合することにより前記ＬＥＤ保持手段３０と前記レンズ収容メンバ５１，５２とは一体化する。符号６１，６２はプレート状のフィルタ７０を挿入する挿入溝である。【００１６】  前記ＬＥＤ保持手段３０は、前記各レンズ収容メンバ５１，５２を連結する放熱体３１を備え、該放熱体３１は、表面に放熱フィン３１Ａが形成され、内面には前記ＬＥＤ１０を下面に固着したＬＥＤ固着基板４０が固定される。また前記放熱体３１は、側面に前記取付けボルト５９，６０が螺合する取付け孔３２，３３が横穿され、底面には前記ＬＥＤ固着基板４０を固定するのに寄与する雌ねじ部（図示せず）が形成されている。前記ＬＥＤ固着基板４０の隅部には取付けボルト４５が挿通する貫通孔４１が形成され、この貫通孔４１を挿通した前記取付けボルト４５を前記放熱体３１の雌ねじ部に螺合することにより前記ＬＥＤ固着基板４０は前記放熱体３１に固定される。【００１７】  （実施例２）
図５乃至図８に光源モジュールの第２の実施例を示す。
図５は、光源モジュールの第２の実施例を示す斜視図、
図６は、光源モジュールの左側面図、
図７は、光源モジュールの構成部品を分離した状態を示す斜視図、
図８は、光源モジュールの使用状態を示す斜視図である。
第１の実施例と同じ符号は同一の部材を示す。【００１８】  第２の実施例の光源モジュール２は固定式のものである。この実施例では、光源モジュール２を構成するレンズ保持手段５０は、レンズ２０の両端を取付けステイ８０により保持し、該取付けステイ８０，８０を一対のレンズ収容メンバ５１，５２により挟持している。すなわち、前記レンズ２０は前記取付けステイ８０を介して前記レンズ収容メンバ５１，５２に保持されている。前記取付けステイ８０は丸パイプにより形成される。符号９０は壁面に一端が固定された取付けワイヤ、９５はテーブルの照光面である。【００１９】  図９乃至図１３に光源モジュールの第３の実施例を示す。
図９は、光源モジュールの第３の実施例を示す斜視図、
図１０は、光源モジュールの左側面図、
図１１は、光源モジュールの構成部品を分離した状態を示す斜視図、
図１２は、光源モジュールに移動案内用パイプを挿通した状態を示す斜視図、
図１３は、光源モジュールの使用状態を示す斜視図である。
第１、第２の実施例と同じ符号は同一の部材を示す。【００２０】  第３の実施例では、光源モジュール３を構成するＬＥＤ保持手段１３０の放熱体１３１は、表面に放熱フィン１３１Ａが形成され、内面には前記ＬＥＤ１０が固着され、各レンズ収容メンバ５１，５２を連結する。また、前記放熱体１３１は、取付け位置を選定可能とする構成をとる。すなわち、前記放熱体１３１の中央には移動案内用パイプ１５０が挿通するくり抜き部１３７が形成され、該くり抜き部１３７に移動案内用パイプ１５０を挿通した状態で前記放熱体１３１を移動案内用パイプ１５０に止着する止着手段１４０を備えている。
前記止着手段１４０は、前記放熱体１３１の頂面の中央に形成された凹所において穿設され前記くり抜き部１３７にまで達するねじ孔１４７、１４９と、このねじ孔１４７、１４９に螺合する止着ボルト１４６並びに仮止めボルト１４８により構成される。かくして、移動案内用パイプ１５０を挿通した状態で前記止着手段１４０の止着を緩めて移動案内用パイプ１５０に沿って（図１３におけるＸ−Ｘ方向）位置の移動を可能とするとともに、移動案内用パイプ１５０を回動軸として回動可能であるため、移動並びに回動した位置で前記止着手段１４０による止着を行なうことにより選択した位置・方向に前記ＬＥＤ１０の発光を前記レンズ２０を通して集光して照光する。【００２１】  また、前記放熱体１３１は、下部側面１３２，１３３に取付けボルト５９，６０が螺合する取付け孔１３４，１３５が横穿され、底面には前記ＬＥＤ固着基板４０を固定する雌ねじ部（図示せず）が４箇所当て形成されている。前記取付けボルト５９，６０をレンズ収容メンバ５１，５２の挿通孔５７，５８に挿通させ前記ＬＥＤ保持手段１３０の前記取付け孔１３４，１３５に螺合することにより前記ＬＥＤ保持手段１３０と前記レンズ収容メンバ５１，５２とは一体化する。符号１２はハーネス、１３は電源コネクタ、１３９は電源コネクタ収容部、１７０は配線の垂れ下がりを防止するプレート、１８０は電源分配器、１９０は電源コード、１９５は天吊りワイヤである。
【図面の簡単な説明】
【００２２】
【図１】  本考案に係る光源モジュールの第１の実施例を示す斜視図である。
【図２】  図１に示す光源モジュールの側面図である。
【図３】  図１に示す光源モジュールの左側面図である。
【図４】  図１に示す光源モジュールの構成部品を分離した状態を示す斜視図である。
【図５】  光源モジュールの第２の実施例を示す斜視図である。
【図６】  図５に示す光源モジュールの左側面図である。
【図７】  図５に示す光源モジュールの構成部品を分離した状態を示す斜視図である。
【図８】  図５に示す光源モジュールの使用状態を示す斜視図である。
【図９】  光源モジュールの第３の実施例を示す斜視図である。
【図１０】  図９に示す光源モジュールの左側面図である。
【図１１】  図９に示す光源モジュールの構成部品を分離した状態を示す斜視図である。
【図１２】  図９に示す光源モジュールに移動案内用パイプを挿通した状態を示す斜視図である。
【図１３】  図９に示す光源モジュールの使用状態を示す斜視図である。
【符号の説明】
【００２３】１          光源モジュール
２          光源モジュール
３          光源モジュール
１０        ＬＥＤ
１１        電源コード
１２        ハーネス
１３        電源コネクタ
２０        レンズ
３０        ＬＥＤ保持手段
３１        放熱体
３１Ａ      放熱フィン
３２        取付け孔
３３        取付け孔
４０        ＬＥＤ固定基板
４１        貫通孔
４５        取付けボルト
５０        レンズ保持手段
５１        レンズ収容メンバ
５２        レンズ収容メンバ
５３        当接部
５４        当接部
５５        肩部
５６        肩部
５７        挿通孔
５８        挿通孔
５９        取付けボルト
６０        取付けボルト
６１        フィルタ挿入溝
６２        フィルタ挿入溝
７０        フィルタ
８０        取付けステイ
９０        取付けワイヤ
９５        照光面
１３０      ＬＥＤ保持手段
１３１      放熱体
１３１Ａ    放熱フィン
１３２      下部側面
１３３      下部側面
１３４      取付け孔
１３５      取付け孔
１３７      くり抜き部
１３９      電源コネクタ収容部
１４０      止着手段
１４５      頂面中央凹所
１４６      止着ボルト
１４７      ねじ孔
１４８      位置決めボルト
１４９      ねじ孔
１５０      移動案内用パイプ
【図１】
0003142332.tif 000003
【図２】
0003142332.tif 000004
【図３】
0003142332.tif 000005
【図４】
0003142332.tif 000006
【図５】
0003142332.tif 000007
【図６】
0003142332.tif 000008
【図７】
0003142332.tif 000009
【図８】
0003142332.tif 000010
【図９】
0003142332.tif 000011
【図１０】
0003142332.tif 000012
【図１１】
0003142332.tif 000013
【図１２】
0003142332.tif 000014
【図１３】
0003142332.tif 000015